(57)【要約】【課題】鉄筋コンクリート造の柱とコンクリート充填鋼管造の柱とを容易に、かつ効率よく構築することができる柱同士の接合構造の構築方法を提供する。【解決手段】床面または柱上面から突出している鉄筋に第一柱１０の柱主筋を接続させて、柱鉄筋ユニットを設置する柱鉄筋ユニット設置工程と、第一柱１０の柱鉄筋ユニットの外側を囲むように接合鋼管３０を設置する接合鋼管設置工程と、第二柱２０の鋼管の下部が柱鉄筋ユニットの内側に位置するように第二柱２０の鋼管を配置し、床面上に載置した仮設の保持部材２２で第二柱２０を保持する第二柱鋼管設置工程と、接合鋼管３０内にコンクリートを充填するコンクリート充填工程と、を備えることを特徴とする。【選択図】図９
2017089292.tif 000002
【特許請求の範囲】
【請求項１】
複数の柱主筋が設けられた柱鉄筋ユニットを有する鉄筋コンクリート造の第一柱と、該第一柱の上部から延び外周に鋼管を有するコンクリート充填鋼管造の第二柱との柱同士の接合構造の構築方法であって、
床面または柱上面から突出している鉄筋に前記第一柱の前記柱主筋を接続させて、前記柱鉄筋ユニットを設置する柱鉄筋ユニット設置工程と、
前記第一柱の前記柱鉄筋ユニットの外側を囲むように接合鋼管を設置する接合鋼管設置工程と、
前記第二柱の前記鋼管の下部が前記柱鉄筋ユニットの内側に位置するように前記第二柱の前記鋼管を配置し、前記床面上に載置した仮設の保持部材で前記第二柱を保持する第二柱鋼管設置工程と、
前記接合鋼管内にコンクリートを充填するコンクリート充填工程と、を備えることを特徴とする柱同士の接合構造の構築方法。
【請求項２】
複数の柱主筋が設けられた柱鉄筋ユニットを有する鉄筋コンクリート造の第一柱と、該第一柱の上部から延び外周に鋼管を有するコンクリート充填鋼管造の第二柱との柱同士の接合構造の構築方法であって、
接合鋼管と、該接合鋼管の内側に配置された前記第一柱の前記柱鉄筋ユニットとを有し、該柱鉄筋ユニットの下部が予めコンクリートが充填された接合鋼管ユニットを、床面または柱上面から突出している鉄筋の箇所に設置し、前記鉄筋と前記柱鉄筋ユニットの前記柱主筋とを接続する接合鋼管ユニット設置工程と、
前記第二柱の前記鋼管の下部が前記柱鉄筋ユニット内に位置するように前記第二柱の前記鋼管を配置し、前記床面上に載置した仮設の保持部材で前記第二柱を保持する第二柱鋼管設置工程と、
前記接合鋼管内にコンクリートを充填するコンクリート充填工程と、を備えることを特徴とする柱同士の接合構造の構築方法。
【請求項３】
前記第二柱の前記鋼管の下端には、前記第二柱の軸方向に貫通する下端開口が形成され、
前記コンクリート充填工程では、前記第二柱の前記鋼管の上端開口から投入した前記コンクリートを前記第二柱の前記鋼管の前記下端開口から排出させて、前記接合鋼管内及び前記第二柱の前記鋼管内を前記コンクリートで充填することを特徴とする請求項１または２に記載の柱同士の接合構造の構築方法。
【請求項４】
前記第二柱の前記鋼管の下端には、前記第二柱の軸方向に貫通する下端開口が形成され、
前記コンクリート充填工程では、前記第二柱の前記鋼管の上端開口から投入した前記コンクリートを前記第二柱の前記鋼管の前記下端開口から排出させるとともに、前記接合鋼管と前記第二柱の前記鋼管との間から前記コンクリートを投入して、前記接合鋼管内及び前記第二柱の前記鋼管内を前記コンクリートで充填することを特徴とする請求項１または２に記載の柱同士の接合構造の構築方法。
【請求項５】
前記第二柱の前記鋼管の下端は塞がれており、
前記コンクリート充填工程では、前記第二柱の前記鋼管の上端開口から一の前記コンクリートを投入するとともに、前記接合鋼管と前記第二柱の前記鋼管との間から他の前記コンクリートを投入して、前記第二柱の前記鋼管内を前記一のコンクリートで充填し且つ前記接合鋼管と前記第二柱の前記鋼管との間を前記他のコンクリートで充填することを特徴とする請求項１または２に記載の柱同士の接合構造の構築方法。
【請求項６】
前記第二柱の前記鋼管内には、予めコンクリートが充填されており、
前記コンクリート充填工程では、前記接合鋼管と前記第二柱の前記鋼管との間から前記コンクリートを投入して、前記接合鋼管と前記第二柱の前記鋼管との間を前記コンクリートで充填することを特徴とする請求項１または２に記載の柱同士の接合構造の構築方法。
【請求項７】
複数の柱主筋が設けられた柱鉄筋ユニットを有する鉄筋コンクリート造の第一柱と、該第一柱の上部から延び外周に鋼管を有するコンクリート充填鋼管造の第二柱との柱同士の接合構造の構築方法であって、
接合鋼管と、該接合鋼管の内側に配置された前記第一柱の前記柱鉄筋ユニットと、該柱鉄筋ユニットの内側に下部が配置された前記第二柱の鋼管とを有し、前記接合鋼管の内部に予めコンクリートが充填されたプレキャストコンクリートユニットを、床面または柱上面から突出している鉄筋の箇所に設置し、前記鉄筋と前記柱鉄筋ユニットの前記柱主筋とを接続するプレキャストコンクリート設置工程を備えることを特徴とする柱同士の接合構造の構築方法。
【発明の詳細な説明】
【技術分野】
【０００１】
本発明は、柱同士の接合構造の構築方法に関する。
【背景技術】
【０００２】
従来から、鉄筋コンクリート造（以下、「ＲＣ造」と称することがある。）の柱と鉄骨造（以下、「Ｓ造」と称することがある。）又はコンクリート充填鋼管造（以下、「ＣＦＴ造」と称することがある。）との接合する場合には、接合部分において、十分な応力伝達を行うために、地下階を例えば２〜３層等の複数層にわたって鉄骨鉄筋コンクリート造（以下、「ＳＲＣ造」と称することがある。）の柱として応力を切り替えて構築することが多く実施されている。このように、複数層の地下階で応力を切り替える場合には、建物の規模によっては途中でＳＲＣ造の柱が基礎に達したり、地下階がＳＲＣ造のために工数と仮設が増えたり、あるいは施工箇所が地下階の狭隘空間であるので作業性が悪い等の不具合があった。
【０００３】
そこで、応力を効率よく切り替える構造として特許文献１が提案されている。特許文献１では、ＲＣ造の第一柱と、その第一柱の上方に位置するＳ造又はＣＦＴ造の第二柱と、柱の軸方向に沿って延在する接合鋼管とが備えられている。 第二柱の下部が、接合鋼管の内側に位置して、接合鋼管内に充填された充填コンクリート内に定着されている。第一柱の複数の柱主筋の上部が、接合鋼管の内側に位置して充填コンクリート内に定着されているとともに、接合鋼管内において第二柱の周囲に配置されている。
【先行技術文献】
【特許文献】
【０００４】
【特許文献１】特開２０１５−６３８８９号公報
【発明の概要】
【発明が解決しようとする課題】
【０００５】
上記の特許文献１に記載の接合構造では、ＲＣ造の第一柱とＣＦＴ造の第二柱とを接合鋼管を介在させて接合して構成される応力切替部は、軸力伝達性能が確保される等の優れた特長を有している。例えば、地上躯体のＳ造の柱又はＣＦＴ造の柱の応力を地下躯体のＲＣ造の柱に切り替える場合に用いることができる。
そこで、施工現場において、ＲＣ造の柱とＣＦＴ造の柱とを、容易に効率よく構築することが望まれていた。
【０００６】
そこで、本発明は、上述の問題点を解決するためになされたものであって、鉄筋コンクリート造（ＲＣ造）の柱とコンクリート充填鋼管造（ＣＦＴ造）の柱とを容易に、かつ効率よく構築することができる柱同士の接合構造の構築方法を提供する。
【課題を解決するための手段】
【０００７】
上記目的を達成するために、本発明は以下の手段を採用している。
すなわち、本発明に係る柱同士の接合構造の構築方法は、複数の柱主筋が設けられた柱鉄筋ユニットを有する鉄筋コンクリート造の第一柱と、該第一柱の上部から延び外周に鋼管を有するコンクリート充填鋼管造の第二柱との柱同士の接合構造の構築方法であって、床面または柱上面から突出している鉄筋に前記第一柱の前記柱主筋を接続させて、前記柱鉄筋ユニットを設置する柱鉄筋ユニット設置工程と、前記第一柱の前記柱鉄筋ユニットの外側を囲むように接合鋼管を設置する接合鋼管設置工程と、前記第二柱の前記鋼管の下部が前記柱鉄筋ユニットの内側に位置するように前記第二柱の前記鋼管を配置し、前記床面上に載置した仮設の保持部材で前記第二柱を保持する第二柱鋼管設置工程と、前記接合鋼管内にコンクリートを充填するコンクリート充填工程と、を備えることを特徴とする。
【０００８】
このように構成された柱同士の接合構造の構築方法では、床面または柱上面の上部に第一柱の柱鉄筋ユニットを設置し、柱鉄筋ユニットの外側に接合鋼管を設置する。次に、第二柱の下部が柱鉄筋ユニットの内側に位置するように、仮設の保持部材で第二柱を保持し、接合鋼管内にコンクリートを充填することで、第一柱と第二柱との接合構造が構築される。よって、容易に、かつ効率よく柱同士を接合することができる。
【０００９】
また、本発明に係る柱同士の接合構造の構築方法は、複数の柱主筋が設けられた柱鉄筋ユニットを有する鉄筋コンクリート造の第一柱と、該第一柱の上部から延び外周に鋼管を有するコンクリート充填鋼管造の第二柱との柱同士の接合構造の構築方法であって、接合鋼管と、該接合鋼管の内側に配置された前記第一柱の前記柱鉄筋ユニットとを有し、該柱鉄筋ユニットの下部が予めコンクリートが充填された接合鋼管ユニットを、床面または柱上面から突出している鉄筋の箇所に設置し、前記鉄筋と前記柱鉄筋ユニットの前記柱主筋とを接続する接合鋼管ユニット設置工程と、前記第二柱の前記鋼管の下部が前記柱鉄筋ユニット内に位置するように前記第二柱の前記鋼管を配置し、前記床面上に載置した仮設の保持部材で前記第二柱を保持する第二柱鋼管設置工程と、前記接合鋼管内にコンクリートを充填するコンクリート充填工程と、を備えていてもよい。
【００１０】
このように構成された柱同士の接合構造の構築方法では、接合鋼管と、接合鋼管の内側に配置された柱鉄筋ユニットとを有し、柱鉄筋ユニットの下部が予めコンクリートで充填された接合鋼管ユニットを、床面または柱上面の上部に立設させる。次に、第二柱の下部が柱鉄筋ユニットの内側に位置するように、仮設の保持部材で第二柱を保持し、接合鋼管内にコンクリートを充填して、第一柱と第二柱との接合構造が構築される。よって、第一柱の下部が予めコンクリート充填された接合鋼管ユニットを用いることで、より一層容易に、かつ効率よく柱同士を接合することができる。
【００１１】
また、本発明に係る柱同士の接合構造の構築方法は、前記第二柱の前記鋼管の下端には、前記第二柱の軸方向に貫通する下端開口が形成され、前記コンクリート充填工程では、前記第二柱の前記鋼管の上端開口から投入した前記コンクリートを前記第二柱の前記鋼管の前記下端開口から排出させて、前記接合鋼管内及び前記第二柱の前記鋼管内を前記コンクリートで充填してもよい。
【００１２】
このように構成された柱同士の接合構造の構築方法では、コンクリートの充填が第二柱の上端開口の一箇所から行われるので、コンクリート充填を容易に行うことができる。
【００１３】
また、本発明に係る柱同士の接合構造の構築方法は、前記第二柱の前記鋼管の下端には、前記第二柱の軸方向に貫通する下端開口が形成され、前記コンクリート充填工程では、前記第二柱の前記鋼管の上端開口から投入した前記コンクリートを前記第二柱の前記鋼管の前記下端開口から排出させるとともに、前記接合鋼管と前記第二柱の前記鋼管との間から前記コンクリートを投入して、前記接合鋼管内及び前記第二柱の前記鋼管内を前記コンクリートで充填してもよい。
【００１４】
このように構成された柱同士の接合構造の構築方法では、コンクリートの充填が第二柱の上端開口、及び接合鋼管と第二柱間の二箇所から行われるので、コンクリート充填を速やかに行うことができる。
【００１５】
また、本発明に係る柱同士の接合構造の構築方法は、前記第二柱の前記鋼管の下端は塞がれており、前記コンクリート充填工程では、前記第二柱の前記鋼管の上端開口から一の前記コンクリートを投入するとともに、前記接合鋼管と前記第二柱の前記鋼管との間から他の前記コンクリートを投入して、前記第二柱の前記鋼管内を前記一のンクリートで充填し且つ前記接合鋼管と前記第二柱の前記鋼管との間を前記他のコンクリートで充填してもよい。
【００１６】
このように構成された柱同士の接合構造の構築方法では、第二柱の鋼管内には一のコンクリートが充填され、接合鋼管と第二柱の鋼管との間には他のコンクリートが充填される。よって、第二柱の鋼管の内側と、接合鋼管内であって第二柱の鋼管の外側とで充填するコンクリートを分けることができる。
【００１７】
また、本発明に係る柱同士の接合構造の構築方法は、前記第二柱の前記鋼管内には、予めコンクリートが充填されており、前記コンクリート充填工程では、前記接合鋼管と前記第二柱の前記鋼管との間から前記コンクリートを投入して、前記接合鋼管と前記第二柱の前記鋼管との間を前記コンクリートで充填してもよい。
【００１８】
このように構成された柱同士の接合構造の構築方法では、コンクリートの充填が接合鋼管と第二柱の鋼管との間の一箇所から行われるとともに、第二柱の鋼管内には予めコンクリートが充填されているため、コンクリート充填を速やかに行うことができる。
【００１９】
また、本発明に係る柱同士の接合構造の構築方法は、複数の柱主筋が設けられた柱鉄筋ユニットを有する鉄筋コンクリート造の第一柱と、該第一柱の上部から延び外周に鋼管を有するコンクリート充填鋼管造の第二柱との柱同士の接合構造の構築方法であって、接合鋼管と、該接合鋼管の内側に配置された前記第一柱の前記柱鉄筋ユニットと、該柱鉄筋ユニットの内側に下部が配置された前記第二柱の鋼管とを有し、前記接合鋼管の内部に予めコンクリートが充填されたプレキャストコンクリートユニットを、床面または柱上面から突出している鉄筋の箇所に設置し、前記鉄筋と前記柱鉄筋ユニットの前記柱主筋とを接続するプレキャストコンクリート設置工程を備えていてもよい。
【００２０】
このように構成された柱同士の接合構造の構築方法では、予め工場等で製作されたプレキャストコンクリートユニットを床面または柱上面に設置して、第一柱と第二柱との接合構造が構築される。よって、柱同士の接合を、より一層容易に、かつ効率よく工期を短縮してすることができる。
【発明の効果】
【００２１】
本発明に係る柱同士の接合構造の構築方法によれば、鉄筋コンクリート造（ＲＣ造）の柱とコンクリート充填鋼管造（ＣＦＴ造）の柱とを容易に、かつ効率よく構築することができる。
【図面の簡単な説明】
【００２２】
【図１】本発明の第１の実施の形態に係る柱同士の接合構造を説明するための図である。
【図２】本発明の第１の実施の形態に係る柱同士の接合構造の構築方法の施工手順を説明するための図である。
【図３】前記実施の形態に係る柱同士の接合構造の構築方法の施工手順を説明するための図である。
【図４】前記実施の形態に係る柱同士の接合構造の構築方法の施工手順を説明するための図である。
【図５】前記実施の形態に係る柱同士の接合構造の構築方法の施工手順を説明するための図である。
【図６】前記実施の形態に係る柱同士の接合構造の構築方法の施工手順を説明するための図である。
【図７】前記実施の形態に係る柱同士の接合構造の構築方法の施工手順を説明するための図である。
【図８】（Ａ）は前記実施の形態に係る柱同士の接合構造の構築方法の施工手順を説明するための図、（Ｂ）はその別の施工手順を説明するための図である。
【図９】前記実施の形態に係る柱同士の接合構造の構築方法の施工手順を説明するための図である。
【図１０】本発明の第２の実施の形態に係る柱同士の接合構造の構築方法の施工手順を説明するための図である。
【図１１】前記実施の形態に係る柱同士の接合構造の構築方法の施工手順を説明するための図である。
【図１２】前記実施の形態に係る柱同士の接合構造の構築方法の施工手順を説明するための図である。
【図１３】前記実施の形態に係る柱同士の接合構造の構築方法の施工手順を説明するための図である。
【図１４】（Ａ）は前記実施の形態に係る柱同士の接合構造の構築方法の施工手順を説明するための図、（Ｂ）はその別の施工手順を説明するための図である。
【図１５】前記実施の形態に係る柱同士の接合構造の構築方法の施工手順を説明するための図である。
【図１６】本発明の第３の実施の形態に係る柱同士の接合構造の構築方法を説明するための図である。
【発明を実施するための形態】
【００２３】
（第１の実施の形態）
先ず、本発明に係る柱同士の接合構造の構築方法の第１の実施の形態について説明する前に、本発明の理解を容易にするために、この構築方法で構築される第一柱と第一柱の上部に設けられる第二柱との接合部分である応力切替部について、図１を用いて説明する。
【００２４】
図１に示すように、応力切替部１ａは、第一柱１０の上部と、第二柱２０の下部と、第一柱１０の上部及び第二柱２０の下部を囲むように配置された接合鋼管３０と、を有している。そして、この応力切替部１ａは、複層からなる地下階（図示せず）の下側の床Ｆ１の上面からその上側の床Ｆ２との間に設けられている。なお、これら床Ｆ１,Ｆ２はＳ造またはＲＣ造の大梁等を含んで構成されている。
【００２５】
第一柱１０は、その軸方向と直交する断面形状が矩形をなすＲＣ造の柱で構成されている。そして、この第一柱１０の下部は、床Ｆ１を貫通して位置するＲＣ造の柱からなる地下躯体の柱４０に接合されている。第一柱１０の上端部は、上側の床Ｆ２の下方にまで達している。
【００２６】
第二柱２０は、その軸方向と直交する断面形状が矩形をなすＣＦＴ造の柱で構成されている。この第二柱２０の軸方向と第一柱１０の軸方向とが一致するように、第二柱２０は配置されている。第二柱２０の矩形の面積は、第一柱１０の矩形の面積より十分に小さくなるように決められている。そして、第二柱２０の下部は、第一柱１０の上下方向の中ほどの位置まで挿入される形で設けられている。また、この第二柱２０の上端部の位置は、上側の床Ｆ２を貫通し、その床面から少し突出するように設けられている。
【００２７】
接合鋼管３０は、角筒状の鋼管で構成されていて、下側の床Ｆ１の面上に立設された第一柱１０の側面全部を囲むように設けられている。
【００２８】
上記構成からなる応力切替部１ａは、第二柱２０の上端位置に接合されている図示しない地上躯体の柱からの応力を地下躯体の柱４０に切り替えることができる。
【００２９】
以下、応力切替部１ａの施工手順について、図面に基づいて説明する。
【００３０】
（［図２］下階構造体の完了）
地下躯体の床Ｆ１は、複層からなる地下階の最上層の下側の床であり、その床面の一部からは、地下躯体のＲＣ造の柱４０の鉄筋４１が突出されるように構成されている。
【００３１】
床Ｆ１は、柱４０の上端部に接合されている例えばＨ形鋼からなる梁４２が水平に設けられる。また、梁４２上にデッキプレート４３が敷き込まれている。なお、デッキプレート４３上には、必要に応じて床鉄筋が配筋された後、床コンクリートが打設される。
【００３２】
（［図３］柱鉄筋ユニット設置工程）
床Ｆ１の床面から突出している柱４０の鉄筋４１の箇所に、鉄筋かごと称される柱鉄筋ユニット１１を建て込む。この柱鉄筋ユニット１１は、鉛直方向（第一柱１０の軸方向）に延びる所定長さの複数の柱主筋１４と、柱主筋１４を囲むように鉛直方向に所定の間隔を有して配筋された段取り筋１５と、を有しており、ＲＣ造の柱からなる第一柱１０の鉄筋部分を構成している。この柱鉄筋ユニット１１を、機械式継手や圧接継手等からなる継手１２を介して、柱４０の鉄筋４１と接続する。柱鉄筋ユニット１１の先端部には、定着部１３が設けられている。また、柱主筋１４の配置は、第一柱１０を軸方向と直交する断面形状が矩形をなすので、その矩形の外周に沿って、かつ、互いに所定の間隔を保って設けられる。
【００３３】
（［図４］接合鋼管設置工程）
床Ｆ１の上に柱鉄筋ユニット１１の建て込みの終了後、その柱鉄筋ユニット１１の上から接合鋼管３０を挿入する。そして、柱鉄筋ユニット１１の外側を囲むように配置された接合鋼管３０を、斜めサポート３１を用いて床Ｆ１の上に立設する。接合鋼管３０の高さは、柱鉄筋ユニット１１の上端部よりもわずかに高い高さとされている。
【００３４】
（［図５］第二柱鋼管設置工程）
床Ｆ１の上に建て込まれた柱鉄筋ユニット１１の内側に、ＣＦＴ柱からなる第二柱２０を建て込む。第二柱２０は、未だコンクリートが充填されていない状態であり、角管である。第二柱２０の上端部近くには、床Ｆ２の大梁５０（後述の図６以下参照）を取り付けるためのブラケット２１が設けられている。そして、このブラケット２１を利用して第二柱２０の建て込みを行う。すなわち、第二柱２０の建て込みは、ブラケット２１と床Ｆ１との間を四角支柱等からなる保持部材２２で保持して行う。この第二柱２０の保持の際、第二柱２０の下端位置が床Ｆ１の面から所定距離上となるようにするとともに、ブラケット２１の位置が床Ｆ２の大梁５０の位置となるように決める。
【００３５】
（［図６］大梁仮設・本締め・溶接）
保持部材２２で保持されている第二柱２０のブラケット２１に、クレーンを用いて床Ｆ２の大梁５０を接合する。この接合される大梁５０には予め仮設足場５１が設けられている。したがって、作業員はこの仮設足場５１を利用して大梁５０をブラケット２１にボルト・ナットや溶接を用いて取り付けることができる。
【００３６】
（［図７］デッキプレート敷込・床配筋）
ブラケット２１に取り付けられた大梁５０には、デッキプレート５２が敷き込まれた後、その敷き込まれたデッキプレート５２上に床配筋５３が配筋される。
【００３７】
（［図８（Ａ）］コンクリート充填工程）
保持部材２２の外側に作業員用の足場２３を組み立てた後、第二柱２０の上端開口２０ａからコンクリート６０を投入する。ここで、第二柱２０の下端部のベースプレート（不図示）には、鉛直方向に貫通する下端開口２０ｂが設けられている。これにより、第二柱２０の上端開口２０ａから投入されたコンクリート６０は、第二柱２０の下端開口２０ｂから排出されて、第二柱２０の内側及び接合鋼管３０の内側に充填される。このコンクリート６０の充填の際には、バイブレータを用いてコンクリート６０に振動を与えて充填の完全化を図る。なお、以下の施工手順におけるコンクリート６０の場合も、バイブレータを用いてコンクリート６０に振動を与えるものをする。
【００３８】
（［図８（Ｂ）］他の方法のコンクリート充填工程）
上述のコンクリート６０の充填の際には、第二柱２０の外側と接合鋼管３０の内側との間の上端部３０ａからもコンクリート６０を充填してもよい。
ここで、上記のように、第二柱２０のベースプレートには、鉛直方向に貫通する下端開口（図８（Ａ）参照）が設けられている場合には、充填箇所が増えるために、コンクリート６０の充填を速やかに行うことができる。
一方、第二柱２０のベースプレートには下端開口が設けられておらず、ベースプレートが塞がれている場合には、第二柱２０の内側と、第二柱２０と接合鋼管３０との間とで、充填するコンクリートを分けることができる。例えば、異なる強度のコンクリートをそれぞれに充填する場合等に有益である。
【００３９】
なお、さらに他の形式の柱コンクリート打設としては、第二柱２０がその内側に既にコンクリートが充填されているＣＦＴ柱の場合、コンクリート６０の充填は、第二柱２０の外側と接合鋼管３０の内側との間の上端部からのみ行われる。このように、既にコンクリートが充填されているＣＦＴ柱の第二柱２０を用いたときは、施工時間を短縮することができる。
【００４０】
（［図９］床コンクリート打設）
第二柱２０の内側及び接合鋼管３０の内側にコンクリート６０を充填した後、床Ｆ２上の床配筋５３の配筋されたデッキプレート５２上に、床コンクリート５４を打設する。
【００４１】
打設されたコンクリート６０及び床コンクリート５４の養生後、必要に応じて保持部材２２及び足場２３を外す。このようにして、応力切替部１ａが構築される。そして、第二柱２０の上端部には、図示しない地上躯体の柱が接合される。したがって、応力切替部１ａは、建物の地上躯体の柱からの応力をその建物の地下躯体の柱４０に切り替えることができる。
【００４２】
上記構成に係る第一柱１０と第二柱２０との接合構造の構築方法では、建物の地下躯体の床面Ｆ１上に第一柱１０の柱鉄筋ユニット１１を設置し、柱鉄筋ユニット１１の外側に接合鋼管３０を設置する。次に、第二柱２０の下部が柱鉄筋ユニット１１の内側に位置するように、仮設の保持部材２２で第二柱２０を保持し、接合鋼管３０内にコンクリート６０を充填して、第一柱１０と第二柱２０との接合構造が構築される。よって、第一柱１０と第二柱２０とを接合する応力切替部１ａを容易に、かつ効率よく製作でき、これにより建物全体の施工を適切、かつ効果的に行うことができるから、建設費のコスト低減を図ることができる。
【００４３】
（第２の実施の形態）
第２の実施の形態に係る応力切替部１ｂは、予め、接合鋼管３０内に第一柱１０の柱鉄筋ユニット１１を挿入するとともに、その接合鋼管３０内の下部に所定高さのコンクリート１６を充填し、養生して得られた接合鋼管ユニット３２を用いることを特徴としている。すなわち、この第一柱１０を一体化した接合鋼管３０は、工場等の施工性に優れた場所において予め製作され、現場に運ばれるので、接合鋼管３０の下端には予め機械式継手１２を内蔵させておく。
【００４４】
この内部に第一柱１０の柱鉄筋ユニット１１を一体化した接合鋼管３０は、上述した第一の実施の形態に係る応力切替部１ａと同様の床Ｆ１上に設けられる。したがって、この第２の実施の形態の図面を用いた説明では、図２に相当する「下階構造体の完了」の施工手順の図は省略されている。
【００４５】
以下、応力切替部１ｂの施工手順について、図１０〜図１５に基づいて説明する。
【００４６】
（［図１０］接合鋼管ユニット設置工程）
床Ｆ１の床面から突出している柱４０の鉄筋４１の箇所に、第一柱１０の柱鉄筋ユニット１１と接合鋼管３０とをコンクリート１６で一体化した接合鋼管ユニット３２を建て込む。この際、柱４０の鉄筋４１の箇所に位置決めされて、柱４０の鉄筋４１（図２参照）に柱鉄筋ユニット１１を接続し、斜めサポート３１を用いて床Ｆ１の上に設置し、グラウト処理にて固定する。
【００４７】
（［図１１］第二柱鋼管設置工程）
床Ｆ１の上に建て込まれた柱鉄筋ユニット１１の内に、ＣＦＴ柱からなる第二柱２０を建て込む。この第二柱２０は、未だコンクリートが充填されていない状態であり、角管である。第二柱２０の上端部近くには、床Ｆ２の大梁５０（後述の図１２以下参照）を取り付けるためのブラケット２１が設けられている。そして、このブラケット２１を利用して第二柱２０の建て込みを行う。すなわち、第二柱２０の建て込みは、ブラケット２１と床Ｆ１との間を四角支柱等からなる保持部材２２で保持して行う。この第二柱２０の保持の際、第二柱２０の下端位置が床Ｆ１の面から所定距離上となるようにするとともに、ブラケット２１の位置が床Ｆ２の大梁５０の位置となるように決める。
【００４８】
（［図１２］大梁仮設・本締め・溶接）
保持部材２２で保持されている第二柱２０のブラケット２１に、クレーンを用いて床Ｆ２の大梁５０を接合する。この接合される大梁５０には予め仮設足場５１が設けられている。したがって、作業員はこの仮設足場５１を利用して大梁５０をブラケット２１にボルト・ナットや溶接を用いて取り付けることができる。
【００４９】
（［図１３］デッキプレート敷込・床配筋）
ブラケット２１に取り付けられた大梁５０には、デッキプレート５２が敷き込まれた後、その敷き込まれたデッキプレート５２上に床配筋５３が配筋される。
【００５０】
（［図１４（Ａ）］コンクリート充填工程）
保持部材２２の外側に作業員用の足場２３が組み立てられた後、第二柱２０の上端開口２０ａからコンクリート６０を投入する。第二柱２０の下端部のベースプレート（不図示）には、鉛直方向に貫通する下端開口２０ｂが設けられている。これにより、第二柱２０の上端開口２０ａから投入されたコンクリート６０は、第二柱２０の下端開口２０ｂから排出されて、第二柱２０の内側及び接合鋼管３０の内側に充填される。
【００５１】
（［図１４（Ｂ）］他の方法のコンクリート充填工程）
上述のコンクリート６０の充填の際には、第二柱２０の外側と接合鋼管３０の内側との間の上端部３０ａからもコンクリート６０を充填してもよい。
ここで、上記のように、第二柱２０のベースプレートには、鉛直方向に貫通する下端開口（図１４（Ａ）参照）が設けられている場合には、充填箇所が増えるために、コンクリート６０の充填を速やかに行うことができる。
一方、第二柱２０のベースプレートには下端開口が設けられておらず、ベースプレートが塞がれている場合には、第二柱２０の内側と、第二柱２０と接合鋼管３０との間とで、充填するコンクリートを分けることができる。
【００５２】
なお、さらに他の形式の柱コンクリート打設としては、第二柱２０がその内側に既にコンクリートが充填されているＣＦＴ柱の場合、コンクリート６０の充填は、第二柱２０の外側と接合鋼管３０の内側との間の上端部からのみ行われる。このように、既にコンクリートが充填されているＣＦＴ柱の第二柱２０を用いたときは、より施工時間の短縮等の利益を得ることができる。
【００５３】
（［図１５］床コンクリート打設）
第二柱２０の内側及び接合鋼管３０の内側にコンクリート６０を充填した後、床Ｆ２上の床配筋５３の配筋されたデッキプレート５２上に、床コンクリート５４を打設する。
【００５４】
打設されたコンクリート６０及び床コンクリート５４の養生後、必要に応じて保持部材２２及び足場２３を外す。応力切替部１ｂが構築される。そして、第二柱２０の上端部には、図示しない地上躯体の柱が接合される。したがって、応力切替部１ｂは、建物の地上躯体の柱からの応力をその建物の地下躯体の柱４０に切り替えることができる。
【００５５】
上記構成に係る第一柱１０と第二柱２０との接合構造の構築方法では、建物の地下躯体の床面Ｆ１上に、接合鋼管３０と、接合鋼管３０の内側に配置された柱鉄筋ユニット１１とを有し、柱鉄筋ユニット１１の下部が予めコンクリート１６で充填された接合鋼管ユニット３２を、床面上に立設させる。次に、第二柱２０の下部が柱鉄筋ユニット１１の内側に位置するように、仮設の保持部材２２で第二柱２０を保持し、接合鋼管３０内にコンクリート６０を充填して、第一柱１０と第二柱２０との接合構造が構築される。よって、接合鋼管ユニット３２を用いることで、接合鋼管３０内へのコンクリートの打設時間が短縮できる。さらに、応力切替部１ｂを容易に、かつ効率よく製作でき、これにより建物全体の施工を適切、かつ効果的に行うことができるから、建設費のコスト低減を図ることができる。
【００５６】
（第３の実施の形態）
図１６に示される第３の実施の形態に係る応力切替部１ｃは、予め、第一柱１０、第二柱２０及び接合鋼管３０を一体化した、いわゆるＰＣａ化されたプレキャストコンクリートユニット３３を用いることを特徴としている。
【００５７】
（［図１６］プレキャストコンクリート設置工程）
すなわち、この応力切替部１ｃを構成するプレキャストコンクリートユニット３３は、工場等の施工性に優れた場所において、接合鋼管３０内に第一柱１０の柱鉄筋ユニット１１を挿入するとともに、その柱鉄筋ユニット１１内に予めコンクリートが充填されている第二柱２０の下部を挿入し、次いで、その接合鋼管３０内にコンクリートを充填・養生して得られている。そして、このプレキャストコンクリートユニット３３は、現場に運ばれて使用される。
【００５８】
このプレキャストコンクリートユニット３３は、床Ｆ１の床面から突出している柱４０の箇所に位置決めされて、柱４０の鉄筋４１（図２参照）に柱鉄筋ユニット１１を接続し、保持部材２２及び斜めサポート３１を用いて床Ｆ１の上に設置し、グラウト処理にて固定する。
【００５９】
床Ｆ１の上に設置された第二柱２０のブラケット２１には、上述した応力切替部１ａ，１ｂと同様に、床Ｆ２が取り付けられる。そして、そのデッキプレート５２には、床配筋５３が配筋された後、床コンクリート５４が打設される。
【００６０】
床コンクリート５４の養生後、必要に応じて保持部材２２及び斜めサポート３１を外して、応力切替部１ｃが構築される。そして、第二柱２０の上端部には、図示しない地上躯体の柱が接合される。したがって、応力切替部１ｃは、建物の地上躯体の柱からの応力をその建物の地下躯体の柱４０に切り替えることができる。
【００６１】
上記構成に係る第一柱１０と第二柱２０との接合構造の構築方法では、建物の地下躯体の床面Ｆ１上に、プレキャストコンクリートユニット３３を設置できるので、応力切替部１ｃを容易に、かつ効率よく施工でき、これにより建物全体の施工を適切、かつ効果的に行うことができるから、建設費のコスト低減を図ることができる。
【００６２】
以上、本発明によるその実施の形態について説明したが、本発明は上記の実施の形態に限定されるものではなく、その趣旨を逸脱しない範囲で適宜変更可能である。また、本発明の趣旨を逸脱しない範囲で、上記した実施の形態における構成要素を周知の構成要素に置き換えることは適宜可能である。
【００６３】
例えば、上記に示す実施形態では、応力切替部１ａ等は、地下階の最上層あるいは他の階、または地上階のいずれかの階等に設けられている場合にも適用可能である。
【００６４】
また、上記に示す実施形態において、接合鋼管３０は、鉛直方向に直交する断面が矩形状に形成されているが、本発明はこれに限られず、円形、多角形等であってもよい。さらには、接合鋼管３０の内周面から径方向内側に向かって突出するリブが設けられていてもよい。
【００６５】
また、上記に示す実施形態において、第一柱１０の柱主筋１４は床Ｆ１から突出する鉄筋４１に接続されているが、本発明はこれに限られない。床Ｆ１からＲＣ造等の柱（不図示。以下同じ。）が突出しており、当該柱の上面から突出する鉄筋（不図示）に、第一柱１０の柱主筋１４が接続される構成であってもよい。
【符号の説明】
【００６６】
１ａ，１ｂ，１ｃ  応力切替部
Ｆ１，Ｆ２  床
１０  第一柱
１１  柱鉄筋ユニット
１２  継手
１３  定着部
１４  柱主筋
１５  段取り筋
１６  コンクリート
２０  第二柱
２１  ブラケット
２２  保持部材
２３  足場
３０  接合鋼管
３１  斜めサポート
３２  接合鋼管ユニット
４０  柱
４１  鉄筋
４２  梁
４３  デッキプレート
５０  大梁
５１  仮設足場
５２  デッキプレート
５３  床配筋
５４  床コンクリート
６０  コンクリート
【図１】
2017089292.tif 000003
【図２】
2017089292.tif 000004
【図３】
2017089292.tif 000005
【図４】
2017089292.tif 000006
【図５】
2017089292.tif 000007
【図６】
2017089292.tif 000008
【図７】
2017089292.tif 000009
【図８】
2017089292.tif 000010
【図９】
2017089292.tif 000011
【図１０】
2017089292.tif 000012
【図１１】
2017089292.tif 000013
【図１２】
2017089292.tif 000014
【図１３】
2017089292.tif 000015
【図１４】
2017089292.tif 000016
【図１５】
2017089292.tif 000017
【図１６】
2017089292.tif 000018